(57)【特許請求の範囲】
【請求項１】
流路に流れる流体の流量を測定する流量測定部と、
前記流体の圧力を測定する圧力測定部と、
前記測定された流量データ及び圧力データを入力して、圧力変化に対する流量変化の追従を解析し、所定量以上の圧力変化量に対する流量変化量を第１の閾値と該第１の閾値よりも小さい第２の閾値で３つの範囲に分類し、各流量変化量の範囲による判定条件に基づき、流量の追従変化を判定する解析部と、
前記解析部の解析結果に応じて対応する処理を行う処理部と、
を備え、
前記解析部は、前記流量変化量が前記第１の閾値以上の場合に前記流量の追従変化有りを判定し、前記流量変化量が前記第２の閾値以下の場合に前記流量の追従変化無しを判定し、前記流量変化量が前記第１の閾値と前記第２の閾値との間の場合に前記流量の追従変化不明を判定する流量計測装置。
【請求項２】
請求項１に記載の流量計測装置であって、
前記解析部は、前記流量変化量の範囲による判定条件の組み合わせに基づき、前記流量の追従変化を判定する流量計測装置。
【請求項３】
請求項１に記載の流量計測装置であって、
前記解析部は、前記流量変化量が特定の流量変化量の範囲に分類された回数によって前記流量の追従変化を判定する流量計測装置。
【請求項４】
請求項１に記載の流量計測装置であって、
前記解析部は、前記流量変化量が特定の流量変化量の範囲に分類された回数と、その範囲の組み合わせとによって前記流量の追従変化を判定する流量計測装置。
【請求項５】
請求項１に記載の流量計測装置であって、
前記解析部は、所定の判定期間において、前記流量の追従変化の判定を実行する流量計測装置。
【請求項６】
請求項１に記載の流量計測装置であって、
前記解析部は、判定期間を定めずに前記流量の追従変化を判定し、所定の判定条件を満足した時点で追従変化の判定を確定する流量計測装置。
【請求項７】
流量計により流路に流れる流体の流量を測定する流量測定ステップと、
圧力計により前記流体の圧力を測定する圧力測定ステップと、
前記測定された流量データ及び圧力データを入力して、圧力変化に対する流量変化の追従を解析し、所定量以上の圧力変化量に対する流量変化量を第１の閾値と該第１の閾値よりも小さい第２の閾値で３つの範囲に分類し、各流量変化量の範囲による判定条件に基づき、流量の追従変化を判定する解析ステップと、
前記解析結果に応じて対応する処理を行う処理ステップと、
を有する流量計測方法。
【請求項８】
流量計測装置を制御するコンピュータに、以下のステップを実行させるプログラムであって、
流量計により流路に流れる流体の流量を測定する流量測定ステップと、
圧力計により前記流体の圧力を測定する圧力測定ステップと、
前記測定された流量データ及び圧力データを入力して、圧力変化に対する流量変化の追従を解析し、所定量以上の圧力変化量に対する流量変化量を第１の閾値と該第１の閾値よりも小さい第２の閾値で３つの範囲に分類し、各流量変化量の範囲による判定条件に基づき、流量の追従変化を判定する解析ステップと、
前記解析結果に応じて対応する処理を行う処理ステップと、
をコンピュータに実行させるプログラム。
【請求項９】
請求項１から８のいずれか１項記載の流量計測装置または流量計測方法またはコンピュータに実行させるプログラムを用いた流体供給システム。
【発明の詳細な説明】
【技術分野】
【０００１】
本発明は、流体使用時の圧力と流量とに基づいて漏れ等を検出可能な流量計測装置に関する。
【背景技術】
【０００２】
従来、ガス等の流体の流量を計測する流量計測装置において、漏れ等の不具合発生時に遮断等を行う保安機能のために、流体使用時の流量から漏れ等を検知する装置が提案されている。また、流体使用時の流量と共に圧力を検出し、流量と圧力とに基づいて漏れ等を検知する装置も提案されている（例えば、特許文献１）。
【０００３】
この従来例の装置では、ガス流量検出手段、ガス圧力センサ、ガス圧力変動手段を備え、大流量の検出時やガス器具を判定できない場合に、ガス供給圧力を変動させ、圧力変動に対応する流量の変化の有無を検出して、漏れ等を検知するようにしている。
【特許文献１】特開２００３−１４９０７５号公報
【発明の開示】
【発明が解決しようとする課題】
【０００４】
上記特許文献１の従来例では、流量及び圧力に関して単純な波形で判定する例が開示されており、ガス流量変化があるか否かの二者択一の判定が行われていた。しかしながら、実際の使用環境では流量及び圧力の変化が複雑であり、従来例ではこのような複雑な波形に対応する工夫はなされておらず、十分な判定が行えないことがある。また、圧力変動に対応する流量の変化を定量的に判定しようとした場合、流量Ｑと圧力Ｐとの関係はＰ＝ａＱ2となり、圧力は流量の２乗に比例することから、２乗演算が必要となり、演算負荷が大きくなるという課題がある。
【０００５】
本発明は、上記事情に鑑みてなされたもので、流体使用時の圧力と流量とに基づいて漏れ等を精度良く判定することが可能な流量計測装置を提供することを目的とする。
【課題を解決するための手段】
【０００６】
本発明に係る流量計測装置は、流路に流れる流体の流量を測定する流量測定部と、前記流体の圧力を測定する圧力測定部と、前記測定された流量データ及び圧力データを入力して、圧力変化に対する流量変化の追従を解析し、所定量以上の圧力変化量に対する流量変化量を所定の閾値で複数の範囲に分類し、各流量変化量の範囲による判定条件に基づき、流量の追従変化を判定する解析部と、前記解析部の解析結果に応じて対応する処理を行う処理部と、を備えるものである。
これにより、圧力変化に対する流量変化量の範囲によって、流量の追従変化を精度良く判定可能となり、漏れ等の判定を高い精度で実行できる。この際、所定量以上の圧力変化量に対する流量変化量の大小を判定することで、実際の使用環境での流量及び圧力の複雑な変化にも対応可能であり、判定精度を向上できる。
【０００７】
また、本発明は、上記の流量計測装置であって、前記解析部は、前記流量変化量が第１の閾値以上の場合に前記流量の追従変化有りを判定し、前記流量変化量が前記第１の閾値よりも小さい第２の閾値以下の場合に前記流量の追従変化無しを判定し、前記流量変化量が前記第１の閾値と前記第２の閾値との間の場合に前記流量の追従変化不明を判定するものを含む。
これにより、流量変化量の範囲によって流量の追従変化有り、追従変化無し、追従変化不明を判定し、精度良く漏れ等を検出することが可能となる。
【０００８】
また、本発明は、上記の流量計測装置であって、前記解析部は、前記流量変化量の範囲による判定条件の組み合わせに基づき、前記流量の追従変化を判定するものを含む。
これにより、圧力変化に対する流量の追従変化の判定において、流量変化量の範囲による判定条件の組み合わせを用いることで、判定精度をさらに向上できる。
【０００９】
また、本発明は、上記の流量計測装置であって、前記解析部は、前記流量変化量が特定の流量変化量の範囲に分類された回数によって前記流量の追従変化を判定するものを含む。
これにより、圧力変化に対する流量の追従変化の判定において、流量変化量が特定の流量変化量の範囲に分類された回数を用いることで、判定精度をさらに向上できる。
【００１０】
また、本発明は、上記の流量計測装置であって、前記解析部は、前記流量変化量が特定の流量変化量の範囲に分類された回数と、その範囲の組み合わせとによって前記流量の追従変化を判定するものを含む。
これにより、圧力変化に対する流量の追従変化の判定において、流量変化量が特定の流量変化量の範囲に分類された回数と、その範囲の組み合わせとを用いることで、判定精度をさらに向上できる。
【００１１】
また、本発明は、上記の流量計測装置であって、前記解析部は、所定の判定期間において、前記流量の追従変化の判定を実行するものを含む。
これにより、所定の判定期間における圧力変化に対する流量の追従変化を精度良く判定可能である。
【００１２】
また、本発明は、上記の流量計測装置であって、前記解析部は、判定期間を定めずに前記流量の追従変化を判定し、所定の判定条件を満足した時点で追従変化の判定を確定するものを含む。
これにより、任意の期間において、圧力変化に対する流量変化量に応じて、所定の判定条件を満足する場合にその時点で流量の追従変化を精度良く判定可能である。
【００１３】
また、本発明は、流量計により流路に流れる流体の流量を測定する流量測定ステップと、圧力計により前記流体の圧力を測定する圧力測定ステップと、前記測定された流量データ及び圧力データを入力して、圧力変化に対する流量変化の追従を解析し、所定量以上の圧力変化量に対する流量変化量を所定の閾値で複数の範囲に分類し、各流量変化量の範囲による判定条件に基づき、流量の追従変化を判定する解析ステップと、前記解析結果に応じて対応する処理を行う処理ステップと、を有する流量計測方法を提供する。
また、本発明は、流量計測装置を制御するコンピュータに、上記の各ステップを実行させるプログラムを提供する。また、本発明は、上記の流量計測装置、流量計測方法、プログラムを使用した流体供給システムを提供する。
【発明の効果】
【００１４】
本発明によれば、流体使用時の圧力と流量とに基づいて漏れ等を精度良く判定することが可能な流量計測装置を提供できる。
【発明を実施するための最良の形態】
【００１５】
図１は、本発明の実施形態における流量計測装置を含むガス供給システムの構成を示すブロック図である。本実施形態に係るガス供給システムは、流量計測装置としてのガスメータ１００と、ガスの供給に関する保安機能の監視、各使用者における使用状態の管理等を行う監視センタ２００とを備えて構成される。ガスメータ１００は、ガス器具が設けられる建物の外部または内部に配置される。監視センタ２００は、ガス会社、プロパン業者、もしくはこれらと関係のある会社などの管理部署に設置され、各建物に配置されたガスメータ１００を集中管理する装置である。ガスメータ１００と監視センタ２００とは、無線通信回線、電話回線、インターネットなどの通信回線３００を介して通信可能に接続され、両者の間で各種信号やデータのやり取りが可能となっている。
【００１６】
ガスメータ１００は、ガスが供給される流路１０２に接続され、この流路１０２中には、遮断弁１０４、流量測定部１０６、圧力測定部１０８が設けられる。また、ガスメータ１００は、流量演算部１１０、解析部１１２、処理部１１４、記憶部１２０、表示部１２２、通信部１２４を備えている。ここで、流量演算部１１０、解析部１１２、処理部１１４は、マイコン等のプロセッサ及びメモリを有して構成される演算処理装置によって各部の機能が実現される。
【００１７】
ガスメータ１００の下流側の流路には、ガステーブル、ファンヒータ、給湯器、床暖房等、１台以上の種々のガス器具Ａ１５１，ガス器具Ｂ１５２，ガス器具Ｃ１５３が接続されている。例えば、ガス器具Ａ１５１は、圧力調整器であるガバナが設けられていないガステーブル等であり、ガス器具Ｂ１５２は、ガバナが設けられた給湯器であるものとする。
【００１８】
流量測定部１０６は、流路１０２に流れるガスの流量を計測する流量計を有し、超音波流量計などによって構成される。なお本実施形態では、流量測定部１０６として超音波流量計を用いた場合の構成例を説明するが、所定時間間隔でガスの流量を計測できるものであれば、フルイディック式流量計など、他の種々の流量計測手段を用いてもよい。流量測定部１０６は、流路１０２中の上流側と下流側に設けた超音波送受信器間で一定時間間隔（例えば２秒など）で交互に超音波を送受信させ、流体の流れに対して順方向と逆方向の超音波の伝搬時間の差を求め、この伝搬時間差から被計測流体の流速及び流量を計測する。
【００１９】
流量演算部１１０は、流量測定部１０６から出力される計測流量値を用いて、使用されたガスの流量、その計測時間に対応する流量パターンなどを算出する。算出した積算流量や流量パターンなどの流量及び時間に関する流量データは、解析部１１２に出力する。また、算出した流量データは、解析部１１２から処理部１１４を介して記憶部１２０に転送して記憶する。
【００２０】
圧力測定部１０８は、圧力センサ等の圧力計を有して構成され、流路１０２におけるガスの圧力を計測する。圧力測定部１０８で得られた圧力データは、解析部１１２に出力する。また、取得した圧力データは、解析部１１２から処理部１１４を介して記憶部１２０に転送して記憶する。記憶部１２０は、流量データ、圧力データの他に、各種データを記憶可能である。
【００２１】
解析部１１２は、測定により得られた流量データと圧力データとを入力し、この流量データ、または流量データと圧力データとの関係を解析して、使用されている器具の判別、漏れの検知などを行う。ここで、解析部１１２は、本実施形態に特徴的な解析動作として、圧力変化に対する流量変化の追従を解析する。処理部１１４は、解析部１１２における解析結果に基づき、対応する処理を実行する。処理としては、ガス漏れを含む異常検出時の通信部１２４による監視センタ２００への通報、この異常検出時の遮断弁１０４によるガス供給の遮断、異常検出時や通常時における解析結果等の表示部１２２による情報表示、解析結果の記憶部１２０への記憶、などの各種処理を実行可能である。
【００２２】
通信部１２４は、有線または無線による通信機能を有し、通信回線３００を介して監視センタ２００との間で通信を行って信号やデータを送受信する。表示部１２２は、液晶表示パネル等の表示装置を有して構成され、ガスメータに関連する各種情報を表示する。
【００２３】
次に、本実施形態におけるガスメータの特徴的な動作について詳細に説明する。図２は、本発明の実施形態におけるガスメータのガス漏れ検知に関する動作の処理手順を示すフローチャートである。
【００２４】
まず、圧力測定部１０８により、流路１０２におけるガスの供給圧力を測定し、圧力データを解析部１１２に出力する（ステップＳ１１）。そして、解析部１１２は、入力される圧力データに基づき、圧力変化があるかどうかを判定する（ステップＳ１２）。ステップＳ１２において、圧力変化が無い場合は、所定のインターバル期間待機し（ステップＳ１３）、ステップＳ１１に戻って同様の処理を繰り返す。
【００２５】
ステップＳ１２において圧力変化がある場合、続いて解析部１１２は、圧力変化に対して流量の追従変化があるかどうかを判定する（ステップＳ１４）。ステップＳ１４において、流量の追従変化がある場合は、さらに解析部１１２は、ガステーブル等のガバナ無しの器具が作動中であるかどうかを判定する（ステップＳ１５）。ステップＳ１５において、ガバナ無しの器具が作動中でない場合は、ガス漏れであると判定し、ガス漏れ検知の解析結果を処理部１１４に出力する。そして、処理部１１４は、ガス漏れ検知に対応する処理１を実行する（ステップＳ１６）。処理１の処理内容としては、通信部１２４による監視センタ２００への通報、遮断弁１０４によるガス供給の遮断などを行う。
【００２６】
ステップＳ１５において、ガバナ無しの器具が作動中である場合は、解析部１１２はガバナ無しの器具の作動による流量変化であると判定し、ガバナ無し器具の作動中の解析結果を処理部１１４に出力する。そして、処理部１１４は、ガバナ無し器具の作動中に対応する処理２を実行する（ステップＳ１７）。処理２の処理内容としては、表示部１２２による器具作動状態の表示、通信部１２４による監視センタ２００への通報などを行う。
【００２７】
また、ステップＳ１４において、流量の追従変化があるかどうか不明の場合は、解析部１１２は流量の追従変化不明の解析結果を処理部１１４に出力する。そして、処理部１１４は、流量の追従変化不明に対応する処理３を実行する（ステップＳ１８）。処理３の処理内容としては、通信部１２４による監視センタ２００への通報などを行う。
【００２８】
また、ステップＳ１４において、流量の追従変化が無い場合は、解析部１１２は、給湯器等のガバナ付きの器具が作動中であると判定し、ガバナ付き器具の作動中の解析結果を処理部１１４に出力する。する（ステップＳ１９）。そして、処理部１１４は、ガバナ付き器具の作動中に対応する処理４を実行する（ステップＳ２０）。処理４の処理内容としては、表示部１２２による器具作動状態の表示、通信部１２４による監視センタ２００への通報などを行う。
【００２９】
なお、処理２〜４については、解析結果を記憶部１２０に記憶するのみの場合、特に何もしない場合なども含まれる。
【００３０】
次に、本実施形態の解析部１１２における解析動作を詳しく説明する。本実施形態では、解析部１１２において、流量データと圧力データに基づき、圧力変化に対する流量変化の追従を解析し、所定量以上の圧力変化量に対する流量変化量の大小に基づき、「追従変化有り」、「追従変化無し」、「追従変化不明」の３つに区分して判定する。以下に、上記３つの区分の判定条件について説明する。まず、所定量以上の圧力変化があった場合に、この所定量以上の圧力変化に追従して第１の閾値以上の流量変化があった場合は「追従変化有り」と判定する。「追従変化有り」の判定条件を満足しない場合は、「追従変化無し」または「追従変化不明」である。次に、所定量以上の圧力変化に追従する流量変化が第１の閾値より小さい第２の閾値以下である場合は「追従変化無し」と判定する。そして、「追従変化有り」及び「追従変化無し」の判定条件を満足しない場合、すなわち所定量以上の圧力変化に追従する流量変化が第１の閾値と第２の閾値の間である場合は「追従変化不明」と判定する。
【００３１】
図３は、サンプルデータを用いた圧力変化に対する流量の追従変化の判定例を示す図である。図３において、（ａ）は「追従変化有り」の場合、（ｂ）は「追従変化無し」の場合、（ｃ）は「追従変化不明」の場合をそれぞれ示している。図３（ａ）のように、所定量以上の圧力変化（圧力減少）に追従して所定量以上の流量変化（流量減少）があった場合は、「追従変化有り」と判定する。図３（ｂ）のように、所定量以上の圧力変化（圧力減少）に追従する流量変化が小さい場合は、「追従変化無し」と判定する。図３（ｃ）のように、所定量以上の圧力変化（圧力減少）に追従する流量変化（流量減少）が不明の場合は、「追従変化不明」と判定する。
【００３２】
また、解析部１１２は、圧力変化に対する流量の追従変化の判定に加えて、使用されているガス器具の器具判別を行い、ガバナ無し器具の作動中などを判定する。ガス器具の器具判別は、様々な方法で行えるが、例えば、下記のような方法がある。
【００３３】
まず、器具を動作させて、立上がり時の流量、最大燃焼時の流量、最小燃焼時の流量、燃焼量を制御したときの特徴的な流量変化等の流量データを、器具別の流量データとして記憶部１２０に記憶して登録する。その後、実際に器具が使用されたときに、計測された流量データと登録されたデータとを比較し、器具判別を行う。ここで、立上がり時の流量が一致するかどうか、また、使用時の流量が最大燃焼時と最小燃焼時の流量範囲にはいるかどうか、さらに、制御されたときの流量変化が登録された特徴に合致するかどうか等を調べることにより、器具の特定を行うことができる。
【００３４】
図４は、異なる流量変化量の算出方法の例を示した図であり、（ａ）は逐次差分方式、（ｂ）は基準値差分方式のそれぞれの方法による算出例を示している。図４（ａ）のように、逐次差分方式では、圧力変化に対応したタイミング毎に、前回の流量値からの流量の差分ΔＱ１、ΔＱ２、ΔＱ３を逐次算出し、これらの差分値による変化量を求める。図４（ｂ）のように、基準値差分方式では、ある時点の流量値（例えば判定開始タイミングの初回流量値）を基準値とし、圧力変化に対応したタイミング毎に、基準値からの流量の差分Δｑ１、Δｑ２、Δｑ３を逐次算出し、これらの差分値による変化量を求める。そして、それぞれの方法で算出した流量の変化量によって追従変化の有無を判定する。
【００３５】
解析部１１２は、上記圧力変化に対する流量の追従変化の解析において、「追従変化有り」と「追従変化無し」のそれぞれの判定を、上記に示した異なる方法を用いて判定する。本実施形態では、「追従変化有り」の判定を逐次差分方式により算出した流量変化量を用いて判定し、「追従変化無し」の判定を基準値差分方式により算出した流量変化量を用いて判定する。ここで、「追従変化有り」と「追従変化無し」とをそれぞれ異なる方法を用いて判定することで、状態毎の判定条件に適した方法で判定することができ、判定精度をより向上できる。
【００３６】
図５は、圧力の変化と流量の変化の組合わせに対して、どの組合わせのとき追従変化有りを判別し、どの組合わせのとき追従化無しを判別するかを示したものである。追従変化有りは（ａ）に示した逐次差分方式の該当現象の組合わせのときに判別する。すなわち、圧力増加に対して流量増加があった場合、及び、圧力減少に対して流量減少があった場合に追従変化有りを判別する。追従変化無しは（ｂ）に示した基準値差分方式の該当現象の組合わせのときに判別する。すなわち、圧力増加に対して流量変化無しの場合、及び、圧力減少に対して流量変化無しの場合に追従変化無しを判別する。
【００３７】
次に、圧力変化に対する流量の追従変化判定の確定方法について説明する。図６は、追従変化判定の確定方法の例を説明する図であり、（ａ）は確定の閾値、（ｂ１−１）、（ｂ１−２）は単純確定方法の条件、（ｂ２−１）、（ｂ２−２）は複合確定方法の条件をそれぞれ例示したものである。
【００３８】
上述した「追従変化有り」、「追従変化無し」、「追従変化不明」の３つの区分の追従変化を判定する際、まず、図６（ａ）に示す閾値によって圧力変化に追従する流量の変化量ΔＱｉ／ΔｑｉをＡ〜Ｅの５つの範囲に分類して判別を行う。ここで、変化量ΔＱｉ／Δｑｉが１００Ｌ／ｈ（リットル／時間）以上を範囲Ａ、５０〜１００Ｌ／ｈを範囲Ｂ、−５０〜５０Ｌ／ｈを範囲Ｃ、−１００〜−５０Ｌ／ｈを範囲Ｄ、−１００Ｌ／ｈ以下を範囲Ｅとして判別する。なお、流量変化量の符号「−（マイナス）」は圧力変化に対して逆方向の変化を示す。また、上記数値は一例であり、対象とする現象に応じて、適宜、設定されるものである。
【００３９】
そして、単純確定方法によって追従変化有りの判定を確定する場合は、逐次差分方式により図６（ｂ１−１）に示す判定条件によって確定する。すなわち、変化量の範囲Ａがｍ回ある場合、あるいは範囲Ｂがｎ回ある場合に、「追従変化有り」の判定を確定する。それ以外については確定しない。
【００４０】
そして、単純確定方法によって追従変化無しの判定を確定する場合は、基準値差分方式により図６（ｂ１−２）に示す判定条件によって確定する。すなわち、変化量の範囲Ｃがある場合に、「追従変化無し」の判定を確定する。それ以外については確定しない。
【００４１】
また、複合確定方法によって追従変化有りの判定を確定する場合、図６（ｂ２−１）に示す判定条件の組合わせによって確定する。すなわち、変化量の範囲Ａがｍ回あり、かつ、範囲Ｃ，Ｄ，Ｅが無い場合、あるいは範囲Ｂがｎ回あり、かつ、範囲Ｃ，Ｄ，Ｅが無い場合に、「追従変化有り」の判定を確定する。それ以外については確定しない。
【００４２】
また、複合確定方法によって追従変化無しの判定を確定する場合、図６（ｂ２−２）に示す判定条件の組合わせによって確定する。すなわち、変化量の範囲Ｃがあり、かつ、範囲Ａ，Ｂ，Ｅが無い場合、あるいは範囲Ｃがあり、かつ、範囲Ａ，Ｅが無い場合に、「追従変化無し」の判定を確定する。それ以外については確定しない。
【００４３】
なお、上記に示したものは、これら複合確定方法における判別条件の組合わせの一例であって、適用する現象に応じて、組合わせは適宜、設定されるものである。
【００４４】
なお、上記図６（ｂ１−１）、（ｂ１−２）の単純確定方法または図６（ｂ２−１）、（ｂ２−２）の複合確定方法において、判定条件に用いる回数ｍ、ｎは、ｍ＜ｎの関係とし、例えば、ｍ＝１、ｎ＝３などのように、適宜定める。
【００４５】
また、上記の追従変化判定に関して、分単位、時間単位や日単位などの所定の判定期間を定めて、この判定期間において流量の追従変化の判定を実行し、判定結果を確定するようにしてもよい。あるいは、特に判定期間を定めずに、任意の期間において流量の追従変化を判定し、上記の確定方法の判定条件などを用いて、判定条件を満足した時点で追従変化の判定を確定するようにしてもよい。これらの判定方法を用いることにより、ガスの使用環境などの各種条件に応じて適宜流量の追従変化の判定を実行し、ガス漏れ等を精度良く判定することができる。
【００４６】
以上のような流体計測装置及び流体計測方法を実施するため、ガスメータ１００の流量演算部１１０、解析部１１２、処理部１１４や図示しないコンピュータ（演算装置）には、流体計測方法の各ステップを実行させるプログラムが記憶されている。また、本発明の流体計測装置、流体計測方法、コンピュータに実行させるプログラムを用いた流体供給システムとして、ガス等の流体の供給源、監視センタ等を含む流体供給システムも本発明に含まれる。
【００４７】
上述したように、本実施形態によれば、圧力変化に対する流量の追従変化を解析し、流量の追従変化有り、追従変化無し、追従変化不明を判定して、漏れ等を精度良く判定することができる。追従変化有りの場合は、ガス使用状態の事象として、ガステーブル等のガバナ無しのガス器具の作動中か、あるいは、ガス漏れが考えられるが、器具判別を行うことで、追従変化有りの判定によって漏れを検知することができる。この際、所定量以上の圧力変化量に対する流量変化量の大小を判定し、この流量変化量の範囲によって流量の追従変化を判定するようにしている。これによって、実際の使用環境での流量及び圧力の複雑な変化にも対応可能であり、複雑な波形の測定データにおいても高い精度で流量の追従変化を判定でき、判定精度を向上できる。また、加減算等の単純な演算で流量の追従変化を判定可能であるので、流量解析時の演算負荷を軽減できる。
【００４８】
なお、本発明は上記の実施形態において示されたものに限定されるものではなく、明細書の記載、並びに周知の技術に基づいて、当業者が変更、応用することも本発明の予定するところであり、保護を求める範囲に含まれる。
【産業上の利用可能性】
【００４９】
本発明は、流体使用時の圧力と流量とに基づいて漏れ等を精度良く判定することが可能となる効果を有し、ガスメータ等の流量計測装置の漏れ検知等において有用である。
【図面の簡単な説明】
【００５０】
【図１】本発明の実施形態における流量計測装置を含むガス供給システムの構成を示すブロック図
【図２】本発明の実施形態におけるガスメータのガス漏れ検知に関する動作の処理手順を示すフローチャート
【図３】サンプルデータを用いた圧力変化に対する流量の追従変化の判定例を示す図
【図４】異なる流量変化量の算出方法の例を示した図
【図５】圧力の変化と流量の変化の組合わせに対して、追従変化有り、追従化無しを判別する事象の組合わせを示す図
【図６】追従変化判定の確定方法の例を説明する図
【符号の説明】
【００５１】
１００  ガスメータ
１０２  流路
１０４  遮断弁
１０６  流量測定部
１０８  圧力測定部
１１０  流量演算部
１１２  解析部
１１４  処理部
１２０  記憶部
１２２  表示部
１２４  通信部
１５１、１５２、１５３  ガス器具
２００  監視センタ
３００  通信回線
【図１】
0005294388.tif 000002
【図２】
0005294388.tif 000003
【図３】
0005294388.tif 000004
【図４】
0005294388.tif 000005
【図５】
0005294388.tif 000006
【図６】
0005294388.tif 000007